(57)【要約】【課題】分解したり再組立のために消毒部品を取り扱ったりせずに哺乳瓶またはおしゃぶりの全部の部分を一度に電子レンジで消毒可能にし、時間を節約するとともに、哺乳瓶やおしゃぶりの消毒を簡単にし、消毒のために特別な機器を購入しなくて済むようにする。【解決手段】本発明は、電子レンジで迅速に消毒できるという長所を備えた、再利用可能な哺乳瓶およびおしゃぶり用のキャップに関する。このキャップは、フードにはめ込み可能な従来型の本体（１）を特徴とする。キャップ上部には、蒸気を排出するための穴（２）が設けられている。キャップの穴の上に固定されたバルブは、逆向きの柔軟な容器（４）が内部に収容された、通気性のある小型キャップ（３）を特徴とする。このキャップを哺乳瓶またはおしゃぶりに取り付けることにより、電子レンジでの消毒が可能になる。哺乳瓶またはおしゃぶりを消毒するには、これらに少量の水を入れて、バルブ付きキャップを閉じてから、電子レンジ内で水を沸騰させるだけでよい。水は水蒸気に変化して哺乳瓶またはおしゃぶり全体の内部を消毒し、バルブによる圧力で排出される。【選択図】図１
2008501390.tif 000002
【特許請求の範囲】
【請求項１】
電子レンジで消毒可能であり、消毒モードで穴（２）を介して蒸気を通過させて、消毒後は穴を密閉する手段を含むことを特徴とする、再利用可能な哺乳瓶およびおしゃぶり用のキャップ（１）。
【請求項２】
蒸気を通過させる手段が、圧力バルブ（３）であることを特徴とする請求項１に記載のキャップ（１）。
【請求項３】
消毒中は、蒸気圧で押し戻されて穴（２）を介して蒸気を排出させ、その後は消毒した状態を保持するために穴を密閉可能な逆向きの柔軟な容器（４）を備えた、圧力バルブ（３）を含むことを特徴とする請求項２に記載のキャップ（１）。
【請求項４】
請求項１から３のいずれか一項に記載の少なくとも一つのキャップ（１）を含む再利用可能な哺乳瓶またはおしゃぶり。
【請求項５】
再利用可能な前記哺乳瓶または前記おしゃぶりが、消毒後は密封されることを特徴とする請求項４に記載の再利用可能な哺乳瓶またはおしゃぶり。
【発明の詳細な説明】
【技術分野】
【０００１】
本発明は、電子レンジで迅速に消毒できるという長所を提供する再利用可能な哺乳瓶およびおしゃぶり用のキャップに関する。
【背景技術】
【０００２】
新生児の栄養補給は、消毒された哺乳瓶で与えられる。新生児をなだめるためのおしゃぶりもまた、使用前に消毒される。哺乳瓶、乳首、リング状フード、キャップ内部、および哺乳瓶本体内部からなる全体、ならびに、おしゃぶりの場合は乳首とフードとの全体を消毒することは、まだ免疫系統が発達していない新生児が有害な微生物を摂取するあらゆるリスクを回避するために是非必要である。
【０００３】
一般に、哺乳瓶とおしゃぶりの消毒は、次の方法で行われる。
・煮沸消毒：哺乳瓶全体を分解する。乳首、リング状フード、およびキャップを、おしゃぶりと一緒に沸騰湯につける。１５分後、空気にさらして全体を組み立てる。
・電気蒸気消毒器での消毒：哺乳瓶全体を分解する。乳首、リング状フード、およびキャップをおしゃぶりと一緒に消毒器の皿に置く。消毒器は、１５分間、部品を蒸気にあてる。その後、空気にさらして部品を組み立てる。
・冷却消毒：哺乳瓶全体を分解する。乳首、リング状フード、およびキャップをおしゃぶりと一緒に、消毒薬（錠剤または液体）の入った液体につける。
・電子レンジ用に構成された蒸気消毒器での消毒：哺乳瓶全体を分解する。乳首、リング状フード、およびキャップをおしゃぶりと一緒に消毒器の皿に置く。
【０００４】
消毒器に水を満たしてから、電子レンジに入れる。電子レンジで水を沸騰させ、数分間、部品を蒸気にあてる。
【０００５】
その後、空気にさらして部品を組み立てる。
【０００６】
これらの方法には、次のような複数の不都合がある。
・特別な機器の購入が必要である。機器はかさばる上に高価である（哺乳瓶の数本分の価格がかかる）。
・消毒後、ユーザが空気にさらして部品を取り扱うので、完全に消毒されているとはいえない。
・消毒、冷却、および組立時間が長い。
【発明の開示】
【発明が解決しようとする課題】
【０００７】
本発明の目的は、分解したり再組立のために消毒部品を取り扱ったりせずに哺乳瓶またはおしゃぶりの全部の部分を一度に電子レンジで消毒可能にし、時間を節約するとともに、哺乳瓶やおしゃぶりの消毒を簡単にし、消毒のために特別な機器を購入しなくて済むようにすることにある。
【課題を解決するための手段】
【０００８】
このキャップは、
・フード、哺乳瓶、またはおしゃぶりに、あるいは哺乳瓶本体に、密封固定可能な従来の本体（１）と、
・蒸気を排出可能なキャップ上部にある穴（２）と、
・穴（２）を介して蒸気を通過させてから、消毒後に穴を密閉する手段とを特徴とする。前記手段は、特に、キャップの穴の上に固定されたバルブとすることができ、逆向きの柔軟な容器（４）が内部に収容された、通気性のある小型キャップ（３）を特徴とする。
【０００９】
本発明は、また、本発明による少なくとも一つのキャップ（１）を含む、再利用可能な哺乳瓶またはおしゃぶりを目的とする。
【００１０】
有利には、本発明による再利用可能な前記哺乳瓶または前記おしゃぶりが、消毒後、密封される。
【００１１】
このキャップは、哺乳瓶またはおしゃぶりを消毒する役割を果たすことができる。
【００１２】
哺乳瓶の消毒モードで、哺乳瓶は、
・フードを受容可能なねじ切り開口部を備えた、有利には目盛付きの本体（５）と、
・乳首を受容して哺乳瓶本体にねじ止め可能なフード（６）と、
・フードに挿入可能な乳首（７）と、
・図１で示した前述のキャップ（１）とを特徴とする。
【００１３】
おしゃぶりの消毒モードでは、おしゃぶりは、
・フード（９）と、
・フード（９）に挿入可能な乳首（１０）と、
・フードに固定されるリング（１１）と、
・図１で示した前述のキャップ（１）とを特徴とする。
【００１４】
添付図は、限定的ではなく例として本発明を示すものである。
【発明を実施するための最良の形態】
【００１５】
動作モード：
哺乳瓶の消毒
【００１６】
哺乳瓶の本体（５）に少量の水を入れる。
【００１７】
フード（６）に乳首（７）を入れて哺乳瓶の本体にねじ止めする。
【００１８】
キャップ（１）をフード（６）にはめる。
【００１９】
次に、哺乳瓶全体を垂直に立てた位置で電子レンジに入れる。哺乳瓶の大きさに応じて所定の時間、電子レンジをフルパワーで作動させる。この時間は、１〜２分とすることができる。
【００２０】
電子レンジは水を沸騰させて蒸気に変える。蒸気が、哺乳瓶の本体（５）の内部を消毒する。その後、蒸気は、乳首（７）内に上昇していき、乳首の内部を消毒してから、乳首の穴から出て、乳首の外部およびキャップ（１）の内部を消毒する。高温蒸気により空気が膨張し、哺乳瓶全体の内部でプラスの圧力が発生する。この圧力により、哺乳瓶の全ての部材の表面への蒸気の浸透が最適化され、表面に潜んでいる可能性のある微生物を不活性化することができる。この圧力が一定の高い割合に達すると、蒸気は、キャップ上面にある穴（２）から排出されて、バルブ（３）の柔軟な容器（４）を押し、最後に、キャップの通気孔から出ることができる。あらゆる爆発の恐れを回避するために、バルブが故障した場合は、キャップがフードから外れる。
【００２１】
有利には、本発明によるキャップ（１）が、フード（６）からキャップをはずす手段を含むことができる。
【００２２】
消毒されると、哺乳瓶は使用準備ができた状態になる。哺乳瓶は、密封され、消毒されており、ミルク、水、または他のあらゆる流動食を入れることができる。こうした栄養物が摂取されたら、洗浄し、再び消毒して、次回の使用に備えることができる。
【００２３】
おしゃぶりの消毒
【００２４】
少量の水をおしゃぶりのキャップ（１）に入れる。
【００２５】
キャップ（１）をフード（９）にはめる。
【００２６】
次に、おしゃぶりの全体を電子レンジに入れる。電子レンジを所定の時間、フルパワーで作動させる。電子レンジは、水を沸騰させて蒸気に変える。蒸気は、キャップ（１）の本体内部と、乳首（１０）と、フード（９）とを消毒する。高温蒸気による空気の膨張によって、キャップ内部にプラスの圧力が発生する。この圧力により、おしゃぶりの全ての部材の表面への蒸気の浸透が最適化され、表面に潜んでいる可能性のある微生物を不活性化することができる。この圧力が一定の閾値に達すると、蒸気は、キャップの穴（２）から排出されて、バルブ（３）の柔軟な容器（４）を押し、最後にキャップの通気孔から出ることができる。あらゆる爆発の恐れを回避するために、バルブが故障した場合は、キャップがフードから外れる。
【００２７】
有利には、本発明によるキャップ（１）が、フード（９）からキャップをはずす手段を含むことができる。
【００２８】
消毒されると、おしゃぶりは使用準備ができた状態になる。おしゃぶりは、密封され、消毒されている。使用後は洗浄し、再び消毒して、次回の使用に備えることができる。
【００２９】
本発明は、また、本発明による再利用可能な哺乳瓶または乳首の消毒方法を目的とし、この方法は、
・消毒媒質を含む本発明による再利用可能な哺乳瓶またはおしゃぶりを電子レンジに入れるステップと、
・消毒媒質からなる蒸気がキャップの穴（２）から排出可能になるような電力で前記電子レンジを作動するステップとを含む。
【００３０】
有利には、消毒媒質を水とすることができる。
【図面の簡単な説明】
【００３１】
【図１】キャップおよび圧力バルブの断面図である。
【図２】消毒準備のできた哺乳瓶全体の立面断面図である。
【図３】消毒準備のできたおしゃぶり全体の断面図である。
【符号の説明】
【００３２】
１  キャップ
２  キャップの穴
３  バルブ
４  容器
５  哺乳瓶本体
６、９  フード
７、１０  乳首
【図１】
2008501390.tif 000003
【図２】
2008501390.tif 000004
【図３】
2008501390.tif 000005
【国際調査報告】
2008501390.tif 000006
2008501390.tif 000007
2008501390.tif 000008
2008501390.tif 000009